(57)【要約】【課題】吊下げ具を固定する鋲の頭部が邪魔になることがなく、しかもフック部などに何らかの強い力が横方向からかかっても、吊下げ具が横に向いてしまい難い鞄用小物吊下げ具の固定構造を提供する。【解決手段】吊下げ具１の固定板４の裏側に突出した厚肉部４ａを設け、この厚肉部に対応する固定板の表側に座ぐり部４ｂを設け、この座ぐり部の中央から厚肉部を貫く鋲孔５を設けたものとし、さらに前記固定板にフック部６を設けたものとし、固定部２に設けた鋲孔８またはこの鋲孔の拡開部８ａに、前記吊下げ具の厚肉部を入り込ませ、鋲３の頭部３ａを前記吊下げ具の座ぐり部に入り込ませると共に、この鋲の胴部３ｂを前記吊下げ具に設けた鋲孔および前記固定部に設けた鋲孔に通し、前記鋲の足部３ｃをかしめて、前記固定部に設けた鋲孔の縁部に固定したものとしている。【選択図】図３
2008093028.tif 000002
【特許請求の範囲】
【請求項１】
吊下げ具（１）の固定板（４）の裏側に突出した厚肉部（４ａ）を設け、この厚肉部（４ａ）に対応する固定板（４）の表側に座ぐり部（４ｂ）を設け、この座ぐり部（４ｂ）の中央から厚肉部（４ａ）を貫く鋲孔（５）を設けたものとし、さらに前記固定板（４）にフック部（６）を設けたものとし、固定部（２）に設けた鋲孔（８）またはこの鋲孔（８）の拡開部（８ａ）に、前記吊下げ具（１）の厚肉部（４ａ）を入り込ませ、鋲（３）の頭部（３ａ）を前記吊下げ具（１）の座ぐり部（４ｂ）に入り込ませると共に、この鋲（３）の胴部（３ｂ）を前記吊下げ具（１）に設けた鋲孔（５）および前記固定部（２）に設けた鋲孔（８）に通し、前記鋲（３）の足部（３ｃ）をかしめて、前記固定部（２）に設けた鋲孔（８）の縁部に固定したことを特徴とする鞄用小物吊下げ具の固定構造。
【請求項２】
前記固定部（２）を背負い鞄の背負いベルト（Ｂ）にしたことを特徴とする請求項１記載の鞄用小物吊下げ具の固定構造。
【請求項３】
前記フック部（６）に掛け部材（７）を取り付けたものとしたことを特徴とする請求項１記載の鞄用小物吊下げ具の固定構造。
【発明の詳細な説明】
【技術分野】
【０００１】
この発明は、ランドセル、リュックサックなどの背負い鞄、その他各種の鞄の小物吊下具の固定構造に関するものである。
【背景技術】
【０００２】
従来、背負い鞄の一例であるランドセルＲの背負いベルトＢには、ディー環やナス環などの掛け部材を取り付けた吊下げ具が鋲止めされているものがある。このような吊下げ具には、防犯ブザー、給食袋、上靴袋、定期入れなどの小物を吊り下げておくことができるようにしている。
【０００３】
前記吊下げ具は、例えば図６、７に示したように、固定板１１の上部に鋲孔１２を設け、固定板１１の下部にフック部１３を設けたものとし、このフック部１３にはディー環やナス環などの掛け部材１４（図示したものではナス環としている）を取り付けたものとし、この掛け部材１４に前記防犯ブザー、給食袋、上靴袋、定期入れなどの小物を吊り下げておくことができるようにしている。
【０００４】
そして、前記吊下げ具は、図７に示したように、固定板１１を背負いベルトＢに只単に押し当て、固定板１１に設けた鋲孔１２から、背負いベルトＢに設けた鋲孔１５に只単に鋲１６を通し、この鋲１６をかしめることにより、背負いベルトＢに固定するようにしている（特許文献１）。
【特許文献１】特開２００６−６７１３号公報（図１、図４）
【発明の開示】
【発明が解決しようとする課題】
【０００５】
しかしながら、上記のようにして背負いベルトＢに固定された従来の鞄用小物吊下げ具の固定構造では、鋲１６の頭部１６ａが、固定板１１の表側に大きく突出して、体裁が悪いとともに、その大きく突出した頭部１６ａが邪魔になることがあるという問題点を有していた。
【０００６】
さらに、上記従来の止め具は、固定板１１を背負いベルトＢに只単に押し当てているだけであるので、鋲止めしているとはいえ、例えばフック部１３に何らかの強い力が横方向からかかると、吊下げ具が横に向いてしまい易いという問題点を有していた。
【０００７】
そこで、この発明は、上記従来の問題点を解決するものであり、吊下げ具を固定する鋲の頭部が邪魔になることがなく、しかもフック部などに何らかの強い力が横方向からかかっても、吊下げ具が横に向いてしまい難い鞄用小物吊下げ具の固定構造を提供することを目的としてなされたものである。
【課題を解決するための手段】
【０００８】
この発明の鞄用小物吊下げ具の固定構造は、吊下げ具１の固定板４の裏側に突出した厚肉部４ａを設け、この厚肉部４ａに対応する固定板４の表側に座ぐり部４ｂを設け、この座ぐり部４ｂの中央から厚肉部４ａを貫く鋲孔５を設けたものとし、さらに前記固定板４にフック部６を設けたものとし、固定部２に設けた鋲孔８またはこの鋲孔８の拡開部８ａに、前記吊下げ具１の厚肉部４ａを入り込ませ、鋲３の頭部３ａを前記吊下げ具１の座ぐり部４ｂに入り込ませると共に、この鋲３の胴部３ｂを前記吊下げ具１に設けた鋲孔５および前記固定部２に設けた鋲孔８に通し、前記鋲３の足部３ｃをかしめて、前記固定部２に設けた鋲孔８の縁部に固定したものとしている。
【０００９】
さらに、この発明の鞄用小物吊下げ具の固定構造は、固定部２を背負い鞄の背負いベルトＢにしている。
【００１０】
また、この発明の鞄用小物吊下げ具の固定構造は、フック部６に掛け部材７を取り付けたものとしている。
【発明の効果】
【００１１】
この発明は、以上に述べたように構成されているので、吊下げ具を固定する鋲の頭部が邪魔になることがなく、しかもフック部などに何らかの強い力が横方向からかかっても、吊下げ具が横に向いてしまい難いものとなる。
【発明を実施するための最良の形態】
【００１２】
以下、この発明の実施の形態を、図面に基づいて詳細に説明する。
【００１３】
図１は、この発明の鞄用小物吊下げ具の固定構造を、背負い鞄の一例であるランドセルＲに実施した形態を示しており、吊下げ具１がこの鞄の固定部２である背負いベルトＢの中間部に鋲３により止着されている。
【００１４】
吊下げ具１は、図２、３に示したように、固定板４の上部において、この固定板４の裏側に突出した厚肉部４ａを設け、この厚肉部４ａに対応する固定板４の表側に座ぐり部４ｂを設けたものとしている。図示したものでは、厚肉部４ａは固定板４と略同じ厚さ分、突出したものとしており、座ぐり部４ｂは固定板４と略同じ厚さ分、くり抜いたものとしているが、これよりも厚くしても、薄くしてもよい。そして、吊下げ具１には、前記座ぐり部４ｂの中央から厚肉部４ａを貫く鋲孔５を設けたものとしている。さらに、吊下げ具１は、固定板４の下部において、フック部６を設けたものとしている。このフック部６は、弾性変形可能なものとしており、防犯ブザー、給食袋、上靴袋、定期入れなどの小物を直接、吊り下げておくこともできるが、図４、５に示したように、フック部６にディー環Ｄやナス環Ｎなどの掛け部材７を取り付けたものとして、この掛け部材７に前記小物を吊り下げておくこともできるようにしている。
【００１５】
固定部２である背負いベルトＢは、図２、３に示したように、表地２ａと裏地２ｂの間に二枚のクッション材２ｃを挟み込み、これらの周囲を縫着したものとしており、中間部に鋲孔８を設けたものとしている。図示した鋲孔８は、前記固定板４に設けた厚肉部４ａが嵌まり込む大きさの拡開部８ａを設けたものとしているが、鋲孔８自体を前記固定板４に設けた厚肉部４ａが嵌まり込む大きさにしてもよい。鋲孔８に前記固定板４に設けた厚肉部４ａが嵌まり込む大きさの拡開部８ａを設けたものとするには、例えば、図示したような背負いベルトＢであれば、先ず厚肉部４ａの径より小さい径の孔を、背負いベルトＢの表地２ａから裏地２ｂに到るまでくり抜き、次に前記厚肉部４ａと同径の孔を、背負いベルトＢの表地２ａにだけくり抜けばよい。また、鋲孔８自体を前記固定板４に設けた厚肉部４ａが嵌まり込む大きさにするには、この厚肉部４ａと同径の孔を、背負いベルトＢの表地２ａから裏地２ｂに到るまでくり抜けばよいことはいうまでもない。
【００１６】
鋲３は、図２、３に示したように、前記吊下げ具１の座ぐり部４ｂに少なくとも一部が入り込む大きさの頭部３ａと、前記吊下げ具１の鋲孔５および背負いベルトＢの鋲孔８に通せる大きさの胴部３ｂと、かしめ可能とした足部３ｃとを有したものとしている。頭部３ａは、図示したものでは、前記吊下げ具１の座ぐり部４ｂに略全体が入り込む大きさとしているが、前記吊下げ具１の座ぐり部４ｂから上半部が食み出す位の大きさにしてもよい。また、足部３ｃは、図示したように、先端面から胴部３ｂの内部にかけて中空部３ｄを形成することにより筒状にすれば、かしめが行い易いものとなる。
【００１７】
そして、この発明の鞄用小物吊下げ具の固定構造は、前記背負いベルトＢに設けた鋲孔８またはこの鋲孔８の拡開部８ａに、前記吊下げ具１の厚肉部４ａを入り込ませ、前記鋲３の頭部３ａを前記吊下げ具１の座ぐり部４ｂに入り込ませると共に、この鋲３の胴部３ｂを前記吊下げ具１に設けた鋲孔５および前記背負いベルトＢに設けた鋲孔８に通し、前記鋲３の足部３ｃをかしめて、前記背負いベルトＢに設けた鋲孔８の縁部に固定したものとしている。
【００１８】
以上のように構成したこの発明では、吊下げ具１を固定する鋲３の頭部３ａが邪魔になるようなことはなく、吊下げ具１が背負いベルトＢに堅固に固定されるものとなるので、吊下げ具１のフック部６などに何らかの強い力が横方向からかかっても、吊下げ具１が横に向いてしまい難いものとなる。
【図面の簡単な説明】
【００１９】
【図１】この発明の鞄用小物吊下げ具の固定構造をランドセルの背負いベルトに実施した形態を示す説明図である。
【図２】図１中のＸ−Ｘ線によるこの発明の鞄用小物吊下げ具の固定構造の断面図である。
【図３】図２に示すこの発明の鞄用小物吊下げ具の固定構造の分解断面図である。
【図４】この発明の固定構造とした鞄用小物吊下げ具にディー環を取り付けたものの断面図である。
【図５】この発明の固定構造とした鞄用小物吊下げ具にナス環を取り付けたものの断面図である。
【図６】従来の鞄用小物吊下げ具の固定構造をランドセルの背負いベルトに実施した形態を示す説明図である。
【図７】図６中のＹ−Ｙ線による従来の鞄用小物吊下げ具の固定構造の断面図である。
【符号の説明】
【００２０】
１  吊下げ具
２  固定部
３  鋲
３ａ  頭部
３ｂ  胴部
３ｃ  足部
４  固定板
４ａ  厚肉部
４ｂ  座ぐり部
５  鋲孔
６  フック部
７  掛け部材
８  鋲孔
８ａ  拡開部
Ｂ  背負いベルト
【図１】
2008093028.tif 000003
【図２】
2008093028.tif 000004
【図３】
2008093028.tif 000005
【図４】
2008093028.tif 000006
【図５】
2008093028.tif 000007
【図６】
2008093028.tif 000008
【図７】
2008093028.tif 000009